(57)【要約】【課題】インタラクティブなコンテンツが実装する再生制御プログラムの再生経路の解析を効率的に行う。【解決手段】画像データと音声データを記録する記録媒体１２に蓄積された、画像・音声のコンテンツデータ１５を含むインタラクティブなコンテンツの再生を行う再生制御プログラム１３による再生経路の解析表示を行う再生経路解析装置１１。再生制御プログラム１３による再生経路の解析用に前記再生制御プログラムを実行する解析用実行手段１７と、解析用実行手段１７によって実行された再生制御プログラム１３の再生経路を解析する解析手段１８と、解析手段１８によって解析された解析結果を出力する出力手段１９とを備え、解析用実行手段１７は、コンテンツが含む画像・音声のコンテンツデータ１５のいずれも再生することなく解析用に再生制御プログラム１３を実行する。【選択図】図１
2008176842.tif 000002
【特許請求の範囲】
【請求項１】
画像・音声データを記録する記録媒体に蓄積された、画像・音声のデータを含むインタラクティブなコンテンツの再生を行う再生制御プログラムの再生経路の解析表示を行う再生経路解析装置であって、
前記再生制御プログラムの再生経路の解析用に前記再生制御プログラムを実行する解析用実行手段と、
該解析用実行手段によって実行された前記再生制御プログラムの再生経路を解析する解析手段と、
該解析手段によって解析された解析結果を出力する出力手段とを備え、
前記解析用実行手段は、前記コンテンツが含む画像・音声データのいずれも再生することなく解析用に前記再生制御プログラムを実行することを特徴とする再生経路解析装置。
【請求項２】
前記解析手段が、前記再生制御プログラムの再生経路を時系列に解析すると共に、この解析による解析結果を前記出力手段が時系列に出力することを特徴とする請求項１に記載の再生径路解析装置。
【請求項３】
前記解析結果は、前記再生経路上のデータ位置をコンテンツ上の位置と対応付けて出力することを特徴とする請求項１又は２に記載の再生経路解析装置。
【請求項４】
前記解析結果は、修正変更した前記再生経路上のデータ位置をコンテンツ上の位置と対応付けて、別途出力することを特徴とする請求項１又は３のいずれか一項に記載の再生経路解析装置。
【請求項５】
画像・音声データを記録する記録媒体に蓄積された、画像・音声のデータを含むインタラクティブなコンテンツの再生を行う再生制御プログラムの再生経路の解析表示を行う再生経路解析装置の再生経路解析方法であって、
前記再生制御プログラムの再生経路の解析用に、前記コンテンツが含む画像データ及び音声データのいずれも再生することなく前記再生制御プログラムを実行する第１のステップと、
実行された前記再生制御プログラムの再生経路を解析する第２のステップと、
解析された解析結果を出力する第３のステップとを備えてなることを特徴とする再生径路解析方法。
【請求項６】
前記第２のステップで前記再生制御プログラムの再生経路を時系列に解析すると共に、前記第３のステップで前記解析結果を時系列に出力することを特徴とする請求項５に記載の再生経路解析方法。
【請求項７】
前記第３のステップでは、前記解析結果が前記再生経路上のデータ位置をコンテンツ上の位置と対応付けて出力することを特徴とする請求項５又は６の再生経路解析方法。
【請求項８】
前記第３のステップでは、前記解析結果が修正変更した前記再生経路上のデータ位置をコンテンツ上の位置と対応付けて、別途出力することを特徴とする請求項５ないし７のいずれか一項に記載の再生経路解析方法。
【発明の詳細な説明】
【技術分野】
【０００１】
本発明は、インタラクティブなコンテンツに実装される再生制御プログラムによる再生経路解析装置及び再生経路解析方法に関する。
【背景技術】
【０００２】
ＤＶＤ等の記録媒体である各種のメディアに記録されたインタラクティブなコンテンツには、画像や音声等のデータとその再生手順の制御を行う再生制御プログラムとが実装されている。
【０００３】
上記のインタラクティブなコンテンツの再生経路の確認、解析については、従来インタラクティブなコンテンツに含まれる画像・音声の各データを再生経路に基づいて出力することで、再生経路の手順の確認やその解析をおこなってきた。
【０００４】
例えば、利用者毎に異なった設定に基づいて再生可能な技術を提供する再生装置については、それぞれ利用者毎に設定された内容について再生経路の解析を行う必要がある（例えば、特許文献１参照）。
【特許文献１】特開２００４−２６５４７０号公報
【発明の開示】
【発明が解決しようとする課題】
【０００５】
そのため上記の確認、解析によれば、再生制御プログラム解析の実行のたびに、画像と音声の出力を伴うため、コンテンツが持つ画像・音声の再生に要する時間を必要とし、その結果相当の時間と労力を要していた。
【０００６】
また、再生経路の確認、解析は、実際に画像・音声の出力を行った再生制御プログラムに限られるため、多岐におよぶ再生手順のプログラムを実装し得るインタラクティブなコンテンツにおいては、実装している再生制御プログラムの全ての再生経路に対して画像・音声を出力する必要があり、解析時間に多大な時間と労力を要するものとなっている。
【０００７】
本発明は、インタラクティブなコンテンツが実装する再生制御プログラムの再生経路の解析を効率的に行う技術の提供を目的とする。
【課題を解決するための手段】
【０００８】
本発明は、コンテンツが備える画像データ及び音声データのいずれも再生することなく、インタラクティブなコンテンツが実装する再生制御プログラムを実行することによって、前記課題の解決を図ったものである。
【０００９】
すなわち、前記目的を達成するために本発明が提案するものは、画像・音声データを記録する記録媒体に蓄積された、画像・音声データを含むインタラクティブなコンテンツの再生を行う再生制御プログラムの再生経路の解析表示を行う再生経路解析装置であって、前記再生制御プログラムの再生経路の解析用に前記再生制御プログラムを実行する解析用実行手段と、該解析用実行手段によって実行された前記再生制御プログラムの再生経路を解析する解析手段と、該解析手段によって解析された解析結果を出力する出力手段とを備え、前記解析用実行手段は、前記コンテンツが含む画像・音声データのいずれも再生することなく解析用に前記再生制御プログラムを実行することを特徴とする再生経路解析装置である。
【００１０】
このように前記コンテンツが含む画像・音声データのいずれも再生することなく解析用に前記再生制御プログラムを実行するので、効率良く再生制御プログラムの再生経路を解析することができる。すなわち画像・音声データの再生に要する時間が省略できることになった。
【００１１】
ここでインタラクティブなコンテンツとは、例えばＤＶＤ−ＶｉｄｅｏやＢＤ−Ｖｉｄｅｏ等が該当し、これらには静止又は動画の画像・音声データとこれらの各データを再生する再生制御プログラムが含まれる。
【００１２】
また前記コンテンツが含む画像・音声データのいずれも再生することなく解析用に前記再生制御プログラムを実行するとは、映像と音声の出力をすることなく再生経路の解析用に再生制御プログラムだけを実行することであり、さらに再生経路の分岐部分におけるユーザのメニュー選択については自動的に選択実行するものである。
【００１３】
再生経路の解析とは、再生経路が例えば途中でリンクが切れている等の支障が無いかの確認を行うものである。
【００１４】
また前記解析手段が、前記再生制御プログラムの再生経路を時系列に解析すると共に、この解析による解析結果を前記出力手段が時系列に出力することが好ましい。
【００１５】
すなわち再生制御プログラムを構成する各データを、時系列に、すなわち再生順に並べて出力することで、再生制御プログラムを構成する各データを容易に認識することができるものである。再生制御プログラムを構成する各データは、例えばそのタイトルごとに区分けされて、時系列に順に並べて出力されるようにできる。
【００１６】
さらに前記解析結果は、前記再生経路上のデータ位置をコンテンツ上の位置と対応付けて出力することが好ましい。
【００１７】
すなわち前記再生経路上のデータ位置を、コンテンツのフォーマット上のデータ配列と対応付けて出力することで、それぞれ対比可能となり、再生中に発生した不具合のデータがコンテンツのフォーマット上のどこに記録されているかの特定が容易になるので、修正等に有益な情報を提供できることになる。
【００１８】
前記再生経路上のデータ位置を、コンテンツのフォーマット上のデータ配列と対応付けて出力には、再生経路上のデータ位置に対応するコンテンツのフォーマット上のデータ配列をアドレス情報やプログラムの行番号等で表示出力することが含まれる。
【００１９】
再生制御プログラムを構成する各タイトルごと再生制御プログラムが再生する画像音声の各データのフォーマット上の位置情報を主力することもできる。
【００２０】
また前記解析結果は、修正変更した前記再生経路上のデータ位置をコンテンツ上の位置と対応付けて、別途出力することが好ましい。
【００２１】
たとえばコンテンツ制作者が意図しない再生順序や分岐を含んだ再生制御プログラムになっていた場合、正しい再生順序に修正する必要がある。データの修正と解析結果の即時反映可能なことにより、修正のための調査をオーサリングすることなく行えるため、従来の修正方法に比べ効率良く修正ができる。すなわちデータの変更結果を、オーサリングし直すこと無しに再生経路の変更された状態が確認可能となる。
【００２２】
さらにまた本発明が提案するものは、画像・音声データを記録する記録媒体に蓄積された、画像・音声のデータを含むインタラクティブなコンテンツの再生を行う再生制御プログラムの再生経路の解析表示を行う再生経路解析装置による再生経路解析方法であって、前記再生制御プログラムの再生経路の解析用に、前記コンテンツが含む画像・音声データのいずれも再生することなく前記再生制御プログラムを実行する第１のステップと、実行された前記再生制御プログラムの再生経路を解析する第２のステップと、解析された解析結果を出力する第３のステップとを備えてなることを特徴とする再生径路解析方法である。
【００２３】
そしてこの再生経路解析方法においては再生経路を時系列に解析すると共に、この解析による解析結果を前記出力手段が時系列に出力することが好ましい。
【００２４】
さらに前記解析結果は、前記再生経路上のデータ位置をコンテンツ上の位置と対応付けて出力することが好ましい。
【００２５】
また前記解析結果が修正変更した前記再生経路上のデータ位置をコンテンツ上の位置と対応付けて、別途出力することが好ましい。
【発明の効果】
【００２６】
本発明によれば、インタラクティブなコンテンツが実装する再生制御プログラムの再生経路の解析を効率的に行うことができる。
【発明を実施するための最良の形態】
【００２７】
以下、添付図面を参照して本発明の好ましい実施形態を説明する。
【００２８】
図１は発明に係る再生経路解析装置を含む全体概略構成図、図２はインタラクティブなコンテンツが実装する再生制御プログラムの各タイトル毎に分けた再生手順の概略図、図３はこの再生制御プログラムを実行、解析する手順を示したフロー図である。
【００２９】
図１に示すように、再生制御プログラムを解析する再生経路解析装置１１は、インタラクティブなコンテンツであるＤＶＤ−Ｖｉｄｅｏ等を記録する記録媒体１２に、前記コンテンツの一部として記録されている再生制御プログラム１３による再生経路を確認のために解析する装置である。
【００３０】
記録媒体１２には、コンテンツの画像・音声データ１５と、この画像・音声データを再生するための上記再生制御プログラム１３とが蓄積、記録されている。
【００３１】
再生経路解析装置１１は、再生制御プログラム１３を解析のために実行する解析用実行手段１７と、この解析用実行手段１７によって実行された再生制御プログラムの再生経路の確認等を目的に解析する解析手段１８、この解析手段１８によって解析された懐石結果を出力する出力手段１９と、を備えている。
【００３２】
解析用実行手段１７は、画像・音声データ１５の再生出力をすることなく、再生制御プログラム１３を実行するものであり、具体的には再生制御プログラム１３の再生経路の手順を確認、実行するものである。すなわち画像・音声データ１５の再生なしに、再生制御プログラム１３の再生経路の手順を確認、実行することで、後述する解析手段によって再生経路を迅速かつ効率的に解析するものである。
【００３３】
解析手段１８は、再生制御プログラム１３が再生経路に従って適切に構成されているかの分析、解析を行うものである。
【００３４】
出力手段１９は、解析手段１８によって解析された解析結果を表示装置に表示するために情報出力するものである。
【００３５】
この再生経路解析装置１１は、解析専用機を使用してもよいが、汎用機であるパーソナルコンピュータ等に、本実施形態に用いる所定の解析用プログラムを作動させることで上記した各手段の機能を発揮することができる。
【００３６】
表示装置２０は、再生制御プログラム１３の解析結果を表示するものであり、液晶ディスプレイ等の装置が相当する。
【００３７】
図２は、再生制御プログラム１３をタイトル毎に区分けし、（説明便宜のためＴ１からＴ４まで）再生順、すなわち時系列に並べたものである。タイトルはインタラクティブなコンテンツを構成するコンテンツ内容に応じたものである。なお説明上の便宜のためＴ１からＴ４までのタイトルに区分けしたものである。
【００３８】
その内容はＴ１、Ｔ２と再生手順に従って再生されるもので、Ｔ２から以降はユーザの選択できるメニュー（再生経路の分岐部分での選択）が用意されており、ここでは本実施形態における解析用プログラムが自動的にメニューをそれぞれ順に選択するようになっている。すなわちＴ３ａとＴ３ｂのそれぞれを順に選択した後、両者とも再生後はＴ４の再生段階に合流し、この再生によって再生制御プログラム１３の全体が再生されて、終了するようになっている。
【００３９】
次に図３を参照して、本発明に係る再生経路解析装置の動作、すなわち再生経路解析装置による再生経路解析方法について説明する。
【００４０】
記録媒体１２に記録された画像・音声データ１５を再生する再生制御プログラム１３の再生経路について、再生経路解析装置１１により解析するものである。再生経路解析装置１１の解析用実行手段１７は、画像・音声データ１５を再生出力することなく、再生制御プログラム１３の再生経路の手順を時系列に辿るものである。
【００４１】
そして解析手段１８は、この再生経路が途切れることなく実行されるか否か、リンクが正確になされるか否か、を解析する。この解析結果は出力手段１９によって外部の表示装置２０に出力されて表示される。
【００４２】
再生制御プログラム１３のＴ１部分の経路が上記したように解析用実行手段１７によって再生される（Ｓ２１）。この再生経路について解析手段１８が解析し、例えば経路のリンクが途切れていないかを解析し、出力手段１９によって解析結果が表示装置２０に送られて画面上に表示される（Ｓ２２）。
【００４３】
表示内容は、Ｔ１部分の再生経路が途切れている場合は、途切れた旨の表示と、途切れた再生プログラムのフォーマット上のアドレス情報、又はプログラム行番号等が表示される。
【００４４】
そして次に再生プログラム１３のＴ２部分に進み、上記同様に経路の再生（Ｓ２３）、解析そして解析結果表示がなされる（Ｓ２４）。
【００４５】
そして本来、ユーザが行うメニュー選択では、解析用実行手段１７がＴ３ａ又はＴ３ｂのいずれかを本実施形態における解析用プログラムにしたがって選択する（Ｓ２５）。先にＴ３ａが自動選択されたときは、Ｔ３ａの経路が上記同様に再生され（Ｓ２６）、解析結果が表示される（Ｓ２７）。
【００４６】
Ｔ３ａの解析結果が表示された後は、メニュー選択終了か否かを解析用実行手段１７が判断する（Ｓ２８）。すなわちすでにＴ３ｂが選択されていてその経路再生と再生結果が表示済みのときは、メニュー選択終了として次のＴ４再生に移行する。
【００４７】
ここではＴ３ｂの再生が未だなされていないため、終了はしていないとしてメニュー選択（Ｓ２５）に戻り、こんどはＴ３ｂが選択される。そして上記同様Ｔ３ｂの経路再生と、解析結果が表示される（Ｓ３０）。
【００４８】
そしてメニュー選択終了の判断においては（Ｓ３１）、選択終了と判断される。その後は上記同様にＴ４の経路再生（Ｓ３２）、解析結果表示（Ｓ３３）を経て再生制御プログラム１３の再生経路解析が終了する。
【００４９】
このように、再生制御プログラム１３を画像・音声データ１５の再生出力を伴わずに、その再生経路を解析することができるので、従来のように画像・音声データの再生に要する時間が不要となり、映像・音声の再生時間に影響を受けることなく、迅速かつ効率的に行うことができる。
【００５０】
解析結果は、再生制御プログラムを時系列的、すなわち再生順に行い、かつコンテンツのフォーマット上のデータ配列と対応して行うので、再生に不備が生じたとする解析結果が生じたときには、フォーマット上の位置の特定が容易になる。
【００５１】
その結果、修正が迅速に行え、さらに修正結果の即時反映が可能になるので、修正のためのオーサリングすることなく行うことができる。
【００５２】
なお本実施形態においては、再生制御プログラムの各タイトルごとに経路再生と解析結果を表示したが、これに限定することなく、再生制御プログラム全体の経路の再生を行い、その後に解析結果を表示してもよい。
【図面の簡単な説明】
【００５３】
【図１】本発明に係る再生経路解析装置を含む全体概略構成図。
【図２】インタラクティブなコンテンツが実装する再生制御プログラムの各タイトル毎に分けた再生手順の概略図。
【図３】再生制御プログラムを実行、解析する手順を示したフロー図。
【符号の説明】
【００５４】
１１  再生経路解析装置
１２  記録媒体
１３  再生制御プログラム
１５  画像・音声データ
１７  解析用実行手段
１８  解析手段
１９  出力手段
２０  表示装置
【図１】
2008176842.tif 000003
【図２】
2008176842.tif 000004
【図３】
2008176842.tif 000005